(57)【要約】【課題】専門の溶接担当者が必要でなく、また、在庫管理や工程の調整等が不要となる磁気ヘッド装置および磁気カード読み取り装置を提供する。【解決手段】磁気カード上に記録された磁気情報を読み取る磁気ヘッド２４と、磁気ヘッド２４を挿入する上部開口部１ａ、および上部開口部１ａから挿入された磁気ヘッド２４のコア面２４ａを露出した状態で受け止めるカール部１ｂを有する下部開口部、ならびに磁気ヘッド２４の周面を保持する周壁部を有するヘッドホルダ１と、磁気ヘッド２４が保持されたヘッドホルダ１を装置本体内部に保持するヘッド支持体２とを備えた磁気ヘッド装置。ヘッドホルダ１の対向する側部には突起部１ｃが設けられており、ヘッド支持体２の開口部２ａに装着したときに、突起部１ｃが凹部２ｄに嵌合することにより両者は固定される。これにより磁気ヘッド２４の組立が容易になり、組立精度や読み取り性能が向上する。【選択図】図１
2008027515.tif 000002
【特許請求の範囲】
【請求項１】
磁気カード上に記録された磁気情報を読み取る磁気ヘッドと、
前記磁気ヘッドを挿入する上部開口部、および前記上部開口部から挿入された磁気ヘッドのコア面を露出した状態で受け止める保持部を有する下部開口部、ならびに前記磁気ヘッドの周面を保持する周壁部を有するヘッドホルダと、
前記磁気ヘッドが保持された前記ヘッドホルダを装置本体内部に保持するヘッド支持手段と、
を具備する磁気ヘッド装置。
【請求項２】
前記ヘッドホルダと前記ヘッド支持手段は、前記ヘッドホルダおよび前記ヘッド支持手段の一方に形成した突起部と他方に形成した凹部とを係合する係合手段により固定されていることを特徴とする請求項１記載の磁気ヘッド装置。
【請求項３】
前記係合手段は、前記ヘッドホルダの対向する側部に設けられた突起部と、前記ヘッド支持手段のヘッド支持部に設けられた凹部とにより構成されていることを特徴とする請求項２記載の磁気ヘッド装置。
【請求項４】
前記係合手段は、前記ヘッドホルダの対向する側部に設けられた凹部と、前記ヘッド支持手段のヘッド支持部に設けられて前記凹部に折り曲げ加工によって押し込まれる細板部とにより構成されていることを特徴とする請求項２記載の磁気ヘッド装置。
【請求項５】
前記ヘッドホルダは、合成樹脂の成形品により構成されていることを特徴とする請求項１から４のいずれかの項に記載の磁気ヘッド装置。
【請求項６】
請求項１から５のいずれかの項に記載の磁気ヘッド装置を搭載した本体ケースと、
外部から挿入される磁気カードの挿入部と、
前記挿入された磁気カード上に記録された磁気情報を前記磁気ヘッド装置で読み取り、通信回線を介してホストコンピュータに通信する手段と、
を具備する磁気カード読み取り装置。
【発明の詳細な説明】
【技術分野】
【０００１】
本発明は、磁気カードを読み取る磁気ヘッド装置およびそれを用いた磁気カード読み取り装置に関する。
【背景技術】
【０００２】
まず、従来の磁気カード読み取り装置の構成について説明する。
【０００３】
図１１は、従来の磁気ヘッド装置を含むカード読み取り装置の分解斜視図、図１２は、従来のカード読み取り装置の斜視図、図１３は、上位機器のパネルに装着されたカード読み取り装置の斜視図である。
【０００４】
図１１において、２１は磁気カード読み取り装置本体部（以後本体ケースと呼ぶ）であり、２２は磁気カード読み取り装置２３の挿入口に設けたカード挿入部である。また、２４は磁気ヘッドであり、２５は磁気ヘッド２４を保持するヘッド支持板であり、２５ａは本体ケース２１のガイドピン２９，３０を挿入するヘッド支持板２５に設けたピン穴である。２６は磁気カ−ド３２の情報を読みとる磁気ヘッド２４をヘッド支持板２５の先端部にスポット溶接して固定した磁気ヘッド装置である。２７はヘッド支持板２５を介して磁気ヘッド２４に付勢力を加える巻きバネである。また、本体ケース２１は磁気ヘッド装置２６の回動支点となる半球形状凸部２８及び磁気ヘッド装置２６の動作方向を制御するガイドピン２９、３０と磁気カード３２が所定位置まで入ったことを検出するカード検出スイッチ３１を有している。
【０００５】
ガイドピン２９は本体ケ−ス２１の後方部にある半球形状凸部２８の頂点に挿入してあり、もう１本のガイドピン３０は本体ケース２１の中央部に挿入している。
【０００６】
ヘッド支持板２５の２個のピン穴２５ａにガイドピン２９、３０を差し込み、ガイドピン３０近傍のナット部に巻きバネ２７を挿入した取付ねじを設定の高さにねじ止めする。これらの構成部品を組み上げたものが図１２に示す磁気カード読み取り装置２３である。
【０００７】
図１３に示す上位機器のパネル３３に装着された磁気カード読み取り装置２３のカード挿入部２２から磁気カード３２が挿入されると、図１１に示す磁気ヘッド装置２６内の磁気ヘッド２４に磁気カード３２が当たり、巻きバネ２７の付勢力に抗して磁気カード３２が磁気ヘッド装置２６を押し上げる。この磁気ヘッド２４の回転中心が半球形状凸部２８とガイドピン２９の根本であり、前方のガイドピン３０に沿って持ち上がる。
【０００８】
そして、磁気カード３２が本体ケース２１の奥側に挿入されることにより、磁気ヘッド装置２６に組み込まれている磁気ヘッド２４は磁気カード３２の磁気ストライプ上の磁気情報を読み取り、上位機器に送られた情報は、ヘッドプリント基板３４を経由してメインプリント基板３５のＣＰＵに送られ、暗号化された情報が、電話回線を介してホストコンピュータに送信される。
【０００９】
近年、カード読み取り装置を含む情報機器製品や家電品の量産組立工程は従来のコンベアを使ったライン組立生産方式から個人で組立するセル生産方式に移行している。
【００１０】
ところで、従来の磁気カード読み取り装置に搭載している磁気ヘッド装置における磁気ヘッドとヘッド支持板の固定は、スポット溶接や接着剤等で行われている。
【００１１】
磁気ヘッド２４の外周に凹みか突起があればヘッド支持板２５を磁気ヘッド２４に固定することは容易に可能である。
【００１２】
磁気ヘッド２４の外周を覆うシールドケースは鋼材を深絞り加工してつくられる。しかし、ヘッド組立工程においては磁気ヘッドの内部構成部品であるボビン組立品を挿入しやすくするため、シールドケース内面方向への凹みはつけられない。また、加工面においてもコア面のＲ研磨加工を複数個同時に実施するとき、シールドケースの外周面には突起がない方がヘッドの保持がし易い等の理由により、磁気ヘッドの外周であるシールドケースの各面は凹凸のない平面でできている。そのために、磁気ヘッド装置における磁気ヘッドのヘッド支持板への固定方法はスポット溶接か接着剤での固定が一般的であった（例えば、特許文献１、非特許文献１参照。）。
【特許文献１】特開平１０−１９８７５２号公報（第１図）
【非特許文献１】「松下電器  製品カタログ２００４」、松下産業情報機器株式会社、２００４年，ｐ．３
【発明の開示】
【発明が解決しようとする課題】
【００１３】
以上に述べたように、従来の磁気ヘッド装置では、磁気ヘッドをヘッド支持板の両側面間に挟み、両側面折り曲げ部の外側よりスポット溶接して固定しているため、溶接強度や溶接時の溶接チップの位置ずれによる磁気ヘッドの高さ調整が難しく専門の溶接担当者が必要である。
【００１４】
また、磁気ヘッド装置は他のカード読み取り装置の部品と同様に組立ラインに供給する組立部品として、本組立に先行して別の工程で準備する必要があるなど、工程管理が複雑になり、リードタイムを短縮できないという問題がある。
【００１５】
本発明は、専門の溶接担当者が必要でなく、また、在庫管理や工程の調整等が不要となる磁気ヘッド装置およびそれを用いた磁気カード読み取り装置を提供することを目的とする。
【課題を解決するための手段】
【００１６】
本発明の磁気ヘッド装置は、磁気ヘッドとヘッド支持手段との間にヘッドホルダを介在させるものであって、上部と下部に開口部を有するヘッドホルダの上部開口部から磁気ヘッドを挿入し、下部開口部から磁気ヘッドのコア面が露出した状態で磁気ヘッドを保持し、ヘッドホルダをヘッド支持手段で保持するようにしたことを主要な特徴とする。
【発明の効果】
【００１７】
本発明の磁気ヘッド装置は、磁気ヘッドとヘッド支持手段との間にヘッドホルダを介在させるものであって、上部と下部に開口部を有するヘッドホルダの上部開口部から磁気ヘッドを挿入し、下部開口部から磁気ヘッドのコア面が露出した状態で磁気ヘッドを保持し、ヘッドホルダをヘッド支持手段で保持するようにしたので、磁気ヘッドをヘッド支持体に工具を使わずに簡単に取り付けができ、磁気ヘッドを挿入したヘッドホルダも簡単にヘッド支持体に嵌合することができる。
【００１８】
また、磁気ヘッドとヘッド支持体をスポット溶接しないため、セル生産で磁気ヘッド装置が組立可能となり、工数の削減や生産工程中の滞留在庫の削減に効果を発揮する。
【発明を実施するための最良の形態】
【００１９】
本発明は、専門の溶接担当者が必要でなく、一般作業者が磁気ヘッド組立品の組立に従事でき、また、在庫管理や工程の調整等が不要となる磁気ヘッド装置およびそれを用いた磁気カード読み取り装置を提供するという目的を、磁気ヘッドとヘッド支持手段との間にヘッドホルダを介在させる磁気ヘッドであって、上部と下部に開口部を有するヘッドホルダの上部開口部から磁気ヘッドを挿入し、下部開口部から磁気ヘッドのコア面が露出した状態で磁気ヘッドを保持し、ヘッドホルダをヘッド支持手段で保持する構成とすることにより実現した。
【００２０】
上記課題を解決するためになされた第１の発明は、磁気カード上に記録された磁気情報を読み取る磁気ヘッドと、磁気ヘッドを挿入する上部開口部、および上部開口部から挿入された磁気ヘッドのコア面を露出した状態で受け止める保持部を有する下部開口部、ならびに磁気ヘッドの周面を保持する周壁部を有するヘッドホルダと、磁気ヘッドが保持されたヘッドホルダを装置本体内部に保持するヘッド支持手段と、を具備する磁気ヘッド装置としたものである。
【００２１】
この構成によれば、専門の溶接担当者が必要でなく、一般作業者が磁気ヘッド組立品の組立に従事できる。また、組立工程は別工程でなく一貫して作業できるため在庫管理や工程の調整等が不要となる。
【００２２】
上記課題を解決するためになされた第２の発明は、ヘッドホルダとヘッド支持手段は、ヘッドホルダおよびヘッド支持手段の一方に形成した突起部と他方に形成した凹部とを係合する係合手段により固定されている構成としたものであり、ヘッドホルダをヘッド支持手段に装着するのみで両者が係合し、溶接が不要で、組立も容易に行うことができる。
【００２３】
上記課題を解決するためになされた第３の発明は、係合手段を、ヘッドホルダの対向する側部に設けられた突起部と、ヘッド支持手段のヘッド支持部に設けられた凹部とにより構成したものであり、突起部と凹部との係合により、ヘッドホルダをヘッド支持手段に確実に固定することができる。
【００２４】
上記課題を解決するためになされた第４の発明は、上記係合手段を、ヘッドホルダの対向する側部に設けられた凹部と、ヘッド支持手段のヘッド支持部に設けられて凹部に折り曲げ加工によって押し込まれる細板部とにより構成したものであり、細板部をヘッドホルダの凹部に工具で押し出すことにより、ヘッドホルダをヘッド支持手段に確実に固定することができる。
【００２５】
上記課題を解決するためになされた第５の発明は、上記ヘッドホルダを、合成樹脂の成形品により構成したことにより、スポット溶接した磁気ヘッド組立品を装着した磁気カード読み取り装置に比べ、組立精度が向上し磁気カードの読み取りにおいても不良率を低減させることができる。
【００２６】
上記課題を解決するためになされた第６の発明は、前記の構成の磁気ヘッド装置を搭載した本体ケースと、外部から挿入される磁気カードの挿入部と、挿入された磁気カード上に記録された磁気情報を上記磁気ヘッド装置で読み取り、通信回線を介してホストコンピュータに通信する手段と、を具備する磁気カード読み取り装置としたものであり、磁気ヘッドはヘッド支持体に直接スポット溶接したものに比べ樹脂成形品であるヘッドホルダに磁気ヘッドが正確に挿入され、かつヘッド支持体にガタなく装着されるため、磁気ヘッドの傾きがなくなり読み取り性能が向上する。
【００２７】
（実施の形態１）
以下、本発明の実施の形態１を図１〜図５に基づいて説明する。
【００２８】
図１は本発明の実施の形態１におけるヘッド支持具の全体構成を示した分解図、図２は本実施の形態１における磁気ヘッドの構成部を示した斜視図、図３は本実施の形態１におけるヘッドホルダの構成部を示した斜視図、図４は本実施の形態１におけるヘッド支持体の構成部を示した斜視図、図５は本実施の形態１における磁気ヘッド装置を示した斜視図である。
【００２９】
図１において、１はヘッドホルダ、２はヘッド支持体、２４は磁気ヘッドを示す。磁気ヘッド２４はコア面２４ａ（図２参照）よりヘッドホルダ１内に挿入され、磁気ヘッド２４のコア面２４ａをヘッドホルダ１の底面のカール部１ｂ（図３参照）より突出させた状態でヘッド支持体２の先端部に嵌合されている。
【００３０】
図２において、２４は磁気ヘッド、２４ａは直接カードと接触するコア面、２４ｂは電極を有する端子面を示す。コア面２４ａは磁気ヘッド２４の底面部にあり、端子面２４ｂは磁気ヘッド２４の上面部にある。なお、磁気ヘッド２４の４側面は凹凸のない平面である。
【００３１】
図３において、（ａ）はヘッドホルダの全体概観図であり、（ｂ）はその一部拡大断面図である。１は磁気ヘッド２４を装着するヘッドホルダで、１ａは上部開口部、１ｂは下部開口部に磁気ヘッド２４の中心方向に向かってヘッドを保持する形状を有するカール部、１ｃはヘッドホルダ１の外側側面に設置した突起部を示す。
【００３２】
図４において、２はヘッドホルダ１を保持するヘッド支持体で、２ａはヘッドホルダ１を挿入する開口部、２ｂはヘッド支持体２の剛性を高めヘッドホルダ１を保持する折り曲げ部で、２ｃは折り曲げ部２ｂから延長させた支持凸面であり、２ｄはヘッドホルダ１の突起部１ｃと嵌合するために支持凸面２ｃ内に設けた凹部（四角穴）、２ｅは挿入されたヘッドホルダ１と磁気ヘッド２４の端子面２４ｂを下側に押さえ付けるＬ字形状の折り曲げ部であり、ヘッド支持体２の両側面より中央方向に角度約９０°、長さ約２ｍｍ程度折り曲げている。
【００３３】
図５に示すように、磁気ヘッド２４をヘッドホルダ１に挿入し、さらにヘッド支持体２を嵌合して一体化し、磁気ヘッド装置とする。
【００３４】
以下、上記構成の組立方法を説明する。
【００３５】
まず、上述のように磁気ヘッド２４の形状は略直方体であり、上面の端子面２４ｂにはヘッド端子が数本突出しており、底面は磁気データを読みとるコアを有する略Ｒ形状のコア面２４ａで、側面の４面は凹凸のない平面である。
【００３６】
磁気ヘッド２４をコア面２４ａ側からヘッドホルダ１の上部開口部１ａより底面のカール部１ｂに密着するまで挿入する。カール部１ｂの内部Ｒは磁気ヘッド２４のコア面２４ａのＲ寸法と同一であり、外部のＲは側面から中央に向かって大きなＲをつけて中央部に行くに従いカール部１ｂの肉厚を薄くしている。これは挿入した磁気カードがカール部１ｂに接触してから磁気ヘッド２４のコア面２４ａに当たるため、カール部１ｂ外部面から磁気ヘッド２４のコア面２４ａにできるだけスムーズに連続して接触させるためである。
【００３７】
また、ヘッドホルダ１としてはＰＯＭ（ポリアセタール）、ＰＰ（ポリプロピレン）、ＡＢＳ（アクリロニトリルブタジエンスチレン）などの樹脂材料が使用できる。
【００３８】
次にヘッドホルダ１に磁気ヘッド２４を挿入したものをヘッド支持体２のヘッドホルダ１挿入用の四角穴からなる開口部２ａに向けて下方向より挿入する。
【００３９】
ヘッド支持体２は上述のように、両側面の折り曲げ部２ｂより支持凸面２ｃを形成し、その内部に凹部２ｄ（四角穴）を設けている。その支持凸面２ｃの下側より四角穴２ｄに向けて、ヘッドホルダ１を差し込み、ヘッドホルダ１の側面の対向する２面に設けた突起部１ｃを嵌合させる。突起部１ｃの例としては、断面が略三角形状を有する形状とすることができる。突起部１ｃの形状にテーパを設けたのは挿入し易くするためである。
【００４０】
また、上述のように、ヘッド支持体２の支持凸面２ｃの上側には中央方向に向けてＬ字形状の折り曲げ部２ｅを設けている。この折り曲げ部２ｅは磁気ヘッド２４の端子面２４ｂを下側に押し付けている。
【００４１】
また、折り曲げ部２ｅのＬ字形状の折り曲げ位置の起点と四角穴２ｄの穴位置を連動して移動することにより、磁気ヘッド２４の設定高さの異なる他機種にもこの機構が流用可能となる。
【００４２】
また、この嵌合寸法のガタをなくすためヘッドホルダ１の突起部１ｃの側面各面の数カ所に△状リブを設け、嵌合時に△状リブの頂点がつぶれるような形状にしてガタをなくしてもよい。
【００４３】
また、ヘッドホルダ１の上部開口部１ａ上端にスナップフィット爪を設けることにより、ヘッド支持体２のＬ字形状の折り曲げ部２ｅの代用をしてもよい。
【００４４】
以上のように、本実施の形態１によれば、ヘッドホルダ１にヘッド支持体２を嵌合することにより、磁気ヘッド２４及びヘッドホルダ１をヘッド支持体２に確実に一体化して保持することができる。
【００４５】
（実施の形態２）
以下、本発明の実施の形態２を図６〜図９に基づいて説明する。
【００４６】
図６は本発明の実施の形態２におけるヘッドホルダを示した斜視図、図７は本実施の形態２におけるヘッド支持体を示した斜視図、図８は本実施の形態２におけるヘッドホルダをヘッド支持体に塑性変形により固定する方法を示した斜視図、図９は本実施の形態２における磁気ヘッド装置を示した斜視図である。
【００４７】
図６に示すように、ヘッドホルダ３は、上部開口部３ａと、磁気ヘッド２４の中心方向に向かってヘッドを保持する形状を有するカール部３ｂを有しており、また外周の対向する２面に略長方形形状の凹部３ｃを設けている。
【００４８】
また、図７に示すように、四角穴４ａを有するヘッド支持体４の両側面の折り曲げ部４ｂの延長部に設けた支持凸面４ｄには、両側を型抜きした細板部４ｃを形成している。
【００４９】
以下、上記構成の組立方法を説明する。
【００５０】
まず、磁気ヘッド２４（図２参照）をコア面２４ａ側からヘッドホルダ３の上部開口部３ａより底面のカール部３ｂに密着するまで挿入する。
【００５１】
次に、ヘッドホルダ３に磁気ヘッド２４を挿入したものを、ヘッド支持体４の先端の磁気ヘッドホルダ挿入用の四角穴４ａに向けて下側より上側に向けて挿入する。すなわち、ヘッド支持体４の支持凸面４ｄの下側より四角穴４ａに向けて、ヘッドホルダ３を差し込み、ヘッドホルダ３の側面の対向する２面に設けた凹部３ｃの真上にヘッド支持体４の細板部４ｃが合致するようにセットする。
【００５２】
次に、図８に示すように、ヘッドホルダ３をヘッド支持体４にセットした状態で、両側より同時にポンチ９をヘッド側に打ち込み、ヘッド支持体４の細板部４ｃをヘッドホルダ３に設けた上部開口部３ａに食い込むように塑性変形させて埋め込むことにより一体化する。
【００５３】
また、嵌合の際にガタが発生しないよう、細板部４ｃの幅はヘッドホルダ３に設けた上部開口部（四角穴）３ａの幅寸法より僅かに大きくしている。この僅かに大きい部分は嵌合する一部でも良いし全体でも良い。
【００５４】
また、ヘッド支持体４の支持凸面４ｄの上側には中央方向に向けてＬ字形状の折り曲げ部４ｅを設けている。この折り曲げ部４ｅは磁気ヘッド２４の端子面２４ｂを下側に押しつけている。
【００５５】
以上のように、本実施の形態２によれば、ヘッドホルダ３にヘッド支持体４を塑性変形させて固定することにより、磁気ヘッド２４及びヘッドホルダ３をヘッド支持体４に確実に一体化して保持することができる。
【００５６】
図９は、このようにして、これらを一体化した磁気ヘッド装置を示している。
【００５７】
（実施の形態３）
以下、本発明の実施の形態３を、図１０に基づいて説明する。
【００５８】
図１０は、実施の形態１の磁気ヘッド装置を含む本発明の実施の形態３に係る磁気カード読み取り装置を示す分解斜視図である。
【００５９】
なお、実施の形態１と同様の構成については同一の番号を付して詳細な説明を省略する。
【００６０】
図１０において、２１は本体ケース、２２はカード挿入部、２３は磁気カード読み取り装置、２４はデータを読み取る磁気ヘッド、１は磁気ヘッド２４を挿入するヘッドホルダ、２は先端にヘッドホルダ１に嵌合するヘッド支持体２であり、１０は３点を組み合わせた磁気ヘッド装置である。
【００６１】
本実施の形態３においては、磁気ヘッド装置１０を構成する磁気ヘッドの上面の端子面にヘッドプリント基板３４を取り付け、磁気ヘッド２４から取り出した磁気情報をＣＰＵを搭載したメインプリント基板３５に送るための上位の装置すなわち磁気カードリーダとしている。
【００６２】
構成としては本体ケース２１より突出させた２本のガイドピン２９，３０に磁気ヘッド装置１０を差し込み、ガイドピン２９とガイドピン３０の中間部に磁気ヘッド２４を下側に付勢する巻きバネ２７を取り付けている。
【００６３】
磁気カード３２が本体ケース２１内に挿入された場合に、磁気ヘッド装置１０に組み込まれた磁気ヘッド２４が磁気カード３２の上に乗り上げ、磁気カード上の磁気情報を読み取る。
【００６４】
以下、上記のように構成された磁気カード読み取り装置について、その動作を説明する。
【００６５】
図１０に示すように、磁気カード３２が本体ケース２１の前面にあるカード挿入部２２より挿入されると、磁気カ−ド３２の情報を読みとる磁気ヘッド装置１０の磁気ヘッド２４が磁気カード３２の挿入により持ち上がる。その磁気ヘッド装置１０の磁気ヘッド部のコア面２４ａが磁気カード３２の磁気ストライプに接触して磁気情報を読みとる。読み取った磁気情報はヘッドプリント基板３４を経由してメインプリント基板３５のＣＰＵに送られ暗号化したものが電話回線を介してホストコンピュータに通信される。
【００６６】
以上のように、磁気カード読み取り装置は磁気ヘッド２４がヘッドホルダ１にガタなく挿入され、確実にヘッド支持体に嵌合された磁気ヘッド装置を搭載しているので、磁気カードに対するアジマスや磁気ヘッドの傾きが少なくなる。そのため、磁気情報を正確に読みとることができる。
【００６７】
また、実施の形態２に係る磁気ヘッド装置を搭載した磁気カード読み取り装置についても磁気ヘッド装置を取り付けるとき、実施の形態３と全く同一の効果が得られる。
【産業上の利用可能性】
【００６８】
本発明は、専門の溶接担当者が必要でなく、また、在庫管理や工程の調整等が不要となる磁気ヘッド装置および磁気カード読み取り装置として、カード読み取り装置を含む情報機器製品や家電品に利用することができる。
【図面の簡単な説明】
【００６９】
【図１】本発明の実施の形態１におけるヘッド支持具の全体構成を示した分解図
【図２】本実施の形態１における磁気ヘッドの構成部を示した斜視図
【図３】本実施の形態１におけるヘッドホルダの構成部を示した斜視図
【図４】本実施の形態１におけるヘッド支持体の構成部を示した斜視図
【図５】本実施の形態１における磁気ヘッド装置を示した斜視図
【図６】本発明の実施の形態２におけるヘッドホルダを示した斜視図
【図７】本実施の形態２におけるヘッド支持体を示した斜視図
【図８】本実施の形態２におけるヘッドホルダをヘッド支持体に塑性変形により固定する方法を示した斜視図
【図９】本実施の形態２における磁気ヘッド装置を示した斜視図
【図１０】実施の形態１の磁気ヘッド装置を含む本発明の実施の形態３に係るカード読み取り装置の分解斜視図
【図１１】従来の磁気ヘッド装置を含むカード読み取り装置の分解斜視図
【図１２】従来のカード読み取り装置の斜視図
【図１３】上位機器のパネルに装着されたカード読み取り装置の斜視図
【符号の説明】
【００７０】
１    ヘッドホルダ
１ａ    上部開口部
１ｂ    カール部
１ｃ    突起部
２    ヘッド支持体
２ａ    開口部
２ｂ    折り曲げ部
２ｃ    支持凸面
２ｄ    凹部（四角穴）
２ｅ    折り曲げ部
３    ヘッドホルダ
３ａ    上部開口部
３ｂ    カール部
３ｃ    凹部
４    ヘッド支持体
４ａ    四角穴
４ｂ    折り曲げ部
４ｃ    細板部
４ｄ    支持凸面
４ｅ    折り曲げ部
９    ポンチ
１０    磁気ヘッド装置
２１    本体ケース
２２    カード挿入部
２３    磁気カード読み取り装置
２４    磁気ヘッド
２４ａ    コア面
２４ｂ    端子面
２５    ヘッド支持板
２５ａ    ピン穴
２６    磁気ヘッド装置
２７    巻きバネ
２８    半球形状凸部
２９    ガイドピン
３０    ガイドピン
３１    カード検出スイッチ
３２    磁気カード
３３    上位機器のパネル
３４    ヘッドプリント基板
３５    メインプリント基板
【図１】
2008027515.tif 000003
【図２】
2008027515.tif 000004
【図３】
2008027515.tif 000005
【図４】
2008027515.tif 000006
【図５】
2008027515.tif 000007
【図６】
2008027515.tif 000008
【図７】
2008027515.tif 000009
【図８】
2008027515.tif 000010
【図９】
2008027515.tif 000011
【図１０】
2008027515.tif 000012
【図１１】
2008027515.tif 000013
【図１２】
2008027515.tif 000014
【図１３】
2008027515.tif 000015